【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
光を反射して、目的とする範囲内に光を拡散あるいは集光する拡散反射板であって、表面レリーフ型回折格子と表面レリーフ型ホログラム拡散体を使用することを特徴とする拡散反射板。
【請求項２】
前記拡散反射板の表面レリーフ型回折格子または表面レリーフ型ホログラム拡散体は、光を反射させるために溝のある片面を、金属膜あるいは屈折率１．６以上の誘電体で覆ったことを特徴とする請求項１に記載の拡散反射板。
【請求項３】
反射型の表面レリーフ型回折格子と透過型の表面レリーフ型ホログラム拡散体を使用した請求項１または請求項２に記載の拡散反射板。
【請求項４】
可視波長域のレーザー光１０ｍＷをｘｙ平面上にある拡散体に反射させたとき、｜Ｓ｜＝１である入射光の単位方向ベクトルＳ（Ｓｘ，Ｓｙ，Ｓｚ）に対して、ある変数θ１、θ２（７°＜θ１またはθ２＜４０°）が存在して、レーザーの入射角度Ｓｘの範囲を｜Ｓｘ｜＜ｓｉｎ（θ１）でかつ入射角度Ｓｙの範囲を｜Ｓｙ｜＜ｓｉｎ（θ２）で任意に変えて、拡散体に垂直な方向における反射光を観測したときに、入射光の４０％が、入射の角度範囲と同じ立体角の範囲Ａ（ｓｒ）に一様に散乱された場合の光の強度より常に強い強度が得られる請求項１ないし請求項３のいずれかに記載の拡散反射板。
【請求項５】
拡散反射板の部材として用いる表面レリーフ型ホログラム拡散体の特性として入射光の方向ベクトルがＳｉ（０，０，１）であるとき、ある変数θ1、θ2（４°＜θ1＜３５°；９０°＞θ2＞θ1×１．５）が存在して、透過光または反射光の単位方向ベクトルＳ（Ｓｘ，Ｓｙ，Ｓｚ）について、｜Ｓｘ｜＜ｓｉｎ（θ1）かつ｜Ｓｙ｜＜ｓｉｎ（θ2）の角度範囲に入射光の９０％以上が透過あるいは反射され、しかも、Ｘ軸方向における透過あるいは反射光強度の角度分布のピーク半値幅θ1ｗが３°＜θ1ｗ＜２０°となる、表面レリーフ型ホログラム拡散体を使用した請求項１ないし請求項４のいずれかに記載の拡散反射板。
【請求項６】
拡散反射板の部材として用いる表面レリーフ型回折格子の特性として入射光の方向ベクトルがＳｉ（０，０，１）であるとき、ある変数θ1、θ2（４°＜θ1＜３５°；９０°＞θ2＞θ1×１．５）が存在して散乱光の単位方向ベクトルＳ（Ｓｘ，Ｓｙ，Ｓｚ）について、｜Ｓｘ｜＜ｓｉｎ（θ1）かつ｜Ｓｙ｜＜ｓｉｎ（θ2）の角度範囲に９０％以上の入射光が入る、表面レリーフ型回折格子を使用した請求項１ないし請求項４のいずれかに記載の拡散反射板。
【請求項７】
表面レリーフ型回折格子と表面レリーフ型ホログラム拡散体を積層したことを特徴とする請求項１ないし請求項６のいずれかに記載の拡散反射板。
【請求項８】
表面レリーフ型回折格子と表面レリーフ型ホログラム拡散体を表裏両面に作製したことを特徴とする請求項１ないし請求項６のいずれかに記載の拡散反射板。
【請求項９】
表面レリーフ型回折格子と表面レリーフ型ホログラム拡散体を同じ面に作製したことを特徴とする請求項１ないし請求項６のいずれかに記載の拡散反射板。
【請求項１０】
照明パターンを作るための孔と拡散体からなるマスク拡散体孔を通したレーザーで、感光性材料を露光し凹凸を作製した散乱光の角度範囲が制御された表面レリーフ型ホログラム拡散体を用いることを特徴とする請求項１ないし請求項９のいずれかに記載の拡散反射板。
【請求項１１】
表面レリーフ型回折格子の格子溝の方向が非平行になるよう積層されたことを特徴とする請求項１ないし請求項１０のいずれかに記載の拡散反射板。
【請求項１２】
同じ面または表裏の面に、表面レリーフ型回折格子の格子溝が非平行になるよう縦横に配置されたことを特徴とする請求項１ないし請求項１０のいずれかに記載の拡散反射板。
【請求項１３】
表面レリーフ型ホログラム拡散体の積層は、接着層を介して接着することを特徴とする請求項９ないし請求項１２のいずれかに記載の拡散反射板。
【請求項１４】
表面レリーフ型ホログラム拡散体の積層は、スペーサーをはさむことを特徴とする請求項９ないし請求項１２のいずれかに記載の拡散反射板。
【請求項１５】
前記表面レリーフ型ホログラム拡散体は、表面レリーフ型ホログラムを転写ロールの型から転写したことを特徴とする請求項１２ないし請求項１４のいずれかに記載の拡散反射板。
【請求項１６】
前記表面レリーフ型ホログラム拡散体は、表面レリーフ型ホログラムの材料にＵＶ硬化型樹脂を使うことを特徴とする請求項１５に記載の拡散反射板。
【請求項１７】
前記表面レリーフ型ホログラム拡散体は、表面レリーフ型ホログラムの材料に熱可塑性樹脂を使うことを特徴とする請求項１５に記載の拡散反射板。
【請求項１８】
請求項１ないし請求項１７のいずれかに記載の拡散反射板を拡散反射板として用いた反射型液晶表示装置。
【請求項１９】
請求項１ないし請求項１７のいずれかに記載の拡散反射板を拡散反射板として用いた照明機器用部材。
【請求項２０】
請求項１ないし請求項１７のいずれかに記載の拡散反射板を拡散反射板として用いた光通信用部材。
【手続補正２】
【補正対象書類名】明細書
【補正対象項目名】０００６
【補正方法】変更
【補正の内容】
【０００６】
本発明は、（１）  光を反射して、目的とする範囲内に一様に光を拡散あるいは集光する拡散反射板であって、表面レリーフ型回折格子と表面レリーフ型ホログラム拡散体を使用することを特徴とする拡散反射板である。
また、（２）  前記拡散反射板の表面レリーフ型回折格子または表面レリーフ型ホログラム拡散体は、光を反射させるために溝のある片面を、金属膜あるいは屈折率１．６以上の誘電体で覆ったことを特徴とする上記（１）に記載の拡散反射板である。金属膜としては、例えば、ＡｇやＡｌおよびそれらを主成分とする金属をスパッタした膜を使用することができる。誘電体としては、例えば、ＴｉＯ２やＺｒＯ２を使用することができる。
また、（３）  反射型の表面レリーフ型回折格子と透過型の表面レリーフ型ホログラム拡散体を使用した上記（１）または上記（２）に記載の拡散反射板である。
また、（４）  可視波長域のレーザー光１０ｍＷをｘｙ平面上にある拡散体に反射させたとき、｜Ｓ｜＝１である入射光の単位方向ベクトルＳ（Ｓｘ，Ｓｙ，Ｓｚ）に対して、ある変数θ１、θ２（７°＜θ１またはθ２＜４０°）が存在して、レーザーの入射角度Ｓｘの範囲を｜Ｓｘ｜＜ｓｉｎ（θ１）でかつ入射角度Ｓｙの範囲を｜Ｓｙ｜＜ｓｉｎ（θ２）で任意に変えて、拡散体に垂直な方向における反射光を観測したときに、入射光の４０％が、入射の角度範囲と同じ立体角の範囲Ａ（ｓｒ）に一様に散乱された場合の光の強度より常に強い強度が得られる上記（１）ないし上記（３）のいずれかに記載の拡散反射板である。
また、（５）  拡散反射板の部材として用いる表面レリーフ型ホログラム拡散体の特性として入射光の方向ベクトルがＳｉ（０，０，１）であるとき、ある変数θ1、θ2（４°＜θ1＜３５°；９０°＞θ2＞θ1×１．５）が存在して、透過光または反射光の単位方向ベクトルＳ（Ｓｘ，Ｓｙ，Ｓｚ）について、｜Ｓｘ｜＜ｓｉｎ（θ1）かつ｜Ｓｙ｜＜ｓｉｎ（θ2）の角度範囲に入射光の９０％以上が透過あるいは反射され、しかも、Ｘ軸方向における透過あるいは反射光強度の角度分布のピーク半値幅θ1ｗが３°＜θ1ｗ＜２０°となる、表面レリーフ型ホログラム拡散体を使用した上記（１）ないし上記（４）のいずれかに記載の拡散反射板である。
また、（６）  拡散反射板の部材として用いる表面レリーフ型回折格子の特性として入射光の方向ベクトルがＳｉ（０，０，１）であるとき、ある変数θ1、θ2（４°＜θ1＜３５°；９０°＞θ2＞θ1×１．５）が存在して散乱光の単位方向ベクトルＳ（Ｓｘ，Ｓｙ，Ｓｚ）について、｜Ｓｘ｜＜ｓｉｎ（θ1）かつ｜Ｓｙ｜＜ｓｉｎ（θ2）の角度範囲に９０％以上の入射光が入る、表面レリーフ型回折格子を使用した上記（１）ないし上記（４）のいずれかに記載の拡散反射板である。
【手続補正３】
【補正対象書類名】明細書
【補正対象項目名】０００９
【補正方法】変更
【補正の内容】
【０００９】
（３）のような構成にして、ホログラム拡散体で一旦拡散した光を、回折格子で散乱し、さらに再度ホログラム拡散体で拡散することにより、ホログラム面での反射光によるモアレや表示むらをなくすことができる。